(57)【要約】  軸と、軸の上端に配置されたストッパー部と、軸の上端の頂部に取り付けられた回動支持部材とから成るゴルフティーについて記述されている。軸は地面に挿入するのに適している。回動支持部はその水平な上面に取り付けられた複数の分岐突起部材を有している。回動支持部材の位置は調整可能であり、回動支持部材の上面が地面に対し平行な水平配列に配置することができる。分岐突起部材はその上にゴルフボールを載置して支持できるようになっている。
2007521040.tif 000002
【特許請求の範囲】
【請求項１】
地面に挿入するのに適した軸と、軸の上端の頂部に取り付けられた回動支持部材と、回動支持部材の上に直立して取り付けられ、使用時にその上に載置されるゴルフボールを支持するのに適した複数の分岐突起部材とを含むゴルフティー。
【請求項２】
回動支持部材は軸の上端に螺合される請求項１に記載のゴルフティー。
【請求項３】
回動支持部材は上部及び下部を有し、上部は回動部を含む請求項１又は２に記載のゴルフティー。
【請求項４】
回動部は、回動連結手段により軸の上端に近接して回動可能に取り付けられている請求項３に記載のゴルフティー。
【請求項５】
回動連結手段は玉継手構造である請求項４に記載のゴルフティー。
【請求項６】
回動支持部材の下部がソケットの作用を果たし、回動部はソケットに外形が合致しており、上部の回動部はソケットにより嵌入されるのに適合している請求項３乃至５のいずれかに記載のゴルフティー。
【請求項７】
軸は、軸の上端に近接して配置されたストッパー部を備えている請求項１乃至６のいずれかに記載のゴルフティー。
【請求項８】
ストッパー部は下向きの傾斜面を備えた請求項７に記載のゴルフティー。
【請求項９】
下向きの傾斜面は水平に対して２５°の角度を有する請求項８に記載のゴルフティー。
【請求項１０】
ストッパー部は案内マーカーを備えており、案内マーカーは下向きの傾斜面の正反対の位置に配置されている請求項８又は９に記載のゴルフティー。
【請求項１１】
ストッパー部は、その下面から下向きに伸びている複数の脚部を備えた請求項７乃至１０のいずれかに記載のゴルフティー。
【請求項１２】
少なくとも一つの凹部、及びその上面に回動可能に取り付けられた少なくとも一つの回動支持部を有する基部と、ゴルフボールがその上に載置されて支持するために利用するのに適した複数の分岐突起部材とを含み、回動支持部には複数の分岐突起部材がその上に直立して取り付けられており、かつ回動支持部は凹部の中に収容可能であるゴルフティー。
【請求項１３】
回動支持部材はその上に取り付けられた３つの分岐突起部材を有する請求項１乃至１２のいずれかに記載のゴルフティー。
【請求項１４】
各分岐突起部材はその上端に尖頭部を有する請求項１乃至１３のいずれかに記載のゴルフティー。
【請求項１５】
各尖頭部は実質的に円錐形である請求項１４に記載のゴルフティー。
【請求項１６】
分岐突起部材は回動部の上に等間隔且つ等角度で実質的に輪状に配列されており、これによりその上にゴルフボールを載置して支持する支持面を形成し、同時に最小限の接触が維持される請求項１乃至１５のいずれかに記載のゴルフティー。
【請求項１７】
分岐突起部材は回動支持部材上に相互に密集して配列されており、分岐突起部材の配置はそれらの間の間隔を画定し、分岐突起部材の頂部に載置されるゴルフボールは間隔の中に配置された最小限の表面領域を有する請求項１乃至１６のいずれかに記載のゴルフティー。
【請求項１８】
一つの回動支持部材の複数の分岐突起部材の長手方向の長さは実質的に同一である請求項１乃至１７のいずれかに記載のゴルフティー。
【請求項１９】
分岐突起部材の長手方向の長さはさまざまであって、個々に行おうとするゴルフの打撃に適合したものを選択する請求項１乃至１８のいずれかに記載のゴルフティー。
【請求項２０】
基部は実質的に水平な上面を有する第１の部分と、下向きの傾斜面を有する第２の部分とを含む請求項１２乃至１９のいずれかに記載のゴルフティー。
【請求項２１】
下向きの傾斜部は水平に対して２５°の角度を有する請求項２０に記載のゴルフティー。
【請求項２２】
基部はその上に回動可能に取り付けられた３つの回動部を有する請求項１２乃至２１のいずれかに記載のゴルフティー。
【発明の詳細な説明】
【技術分野】
【０００１】  本発明は、ゴルフティーに関する。
【背景技術】
【０００２】  ゴルフティーは、その上でゴルフボールがバランスを保つことのできる実質的にボウル状の支持面を伴う不撓性の軸から成るものが知られている。このようなゴルフティーは、その上でゴルフボールのバランスを保つのが難しく、ベストのドライブを可能とする姿勢を取ってボールを打とうとするゴルファーの腕前を損ねることになる。特に、プレイする地面が不規則な場合には、ますますボールのバランスを保つことが困難になる。さらに、ボールとティーとの間に広い接触面を必要とすると、ボールがゴルフクラブにより既知のプレイ法で打たれたとき、ドライブの距離を抑制しかねない、という理論も存在している。【０００３】  また、このような既知のゴルフティーは、ティーからショットを行った後に地面から引き抜きにくい。プレイする地面が固く乾燥している状況ではより一層難しくなる。【０００４】  本発明は、従来のゴルフティーの上述のような課題を、少なくとも部分的に、解消しようとするものである。
【発明の概要】
【０００５】  本発明の一つの面によれば、地面に挿入するのに適した軸と、ゴルフボールがその上に載置されて支持するために利用するのに適した複数の分枝突起部材と、複数の分岐突起部材がその上に直立して取り付けられており、軸の上端の頂部に取り付けられた回動支持部とを含むゴルフティーが提供される。
【０００６】  本発明の第２の面によれば、少なくとも一つの凹部、及びその上面に回動可能に取り付けられた少なくとも一つの回動支持部を有する基部と、ゴルフボールがその上に載置されて支持するために利用するのに適した複数の分岐突起部材とを含み、回動支持部には複数の分岐突起部材がその上に直立して取り付けられており、かつ回動支持部は凹部の中に収容可能であるゴルフティーが提供される。
【実施例】
【０００７】  本発明は、以下、添付の図面を参照しつつ、一つの例として説明される。図面を参照すると、同様の部材は異なる実施例においても同様の数字によって示されており、ゴルフティー１０は軸１２と、軸の上端１８の頂部に配置された回動支持部１６と、回動支持部１６に近接して配置されたストッパー部２４と、複数の直立した分枝突起部材４０とを含む。【０００８】  軸１２は細長い部材であって、上端１８及び下端２０を有する。上端１８には螺刻部１９が備えられている。軸１２は下端１８に向かってテーパ状であり、尖頭部２２が形成されている。尖頭部２２を伴う軸１２は、地面に挿入するのに適合している。【０００９】  軸１２の上端１８の螺刻部１９は、回動支持部１６を受け入れることができるようになっている。回動支持部１６は上部１４及び下部２６を含む。上部１４及び下部２６は回動連結部材３２により連結されている。【００１０】  回動支持部１６の下部２６は、その下端に配置された螺刻部３８を含む。螺刻部３８は軸１２の上端１８の螺刻部１９に合致する。軸１２及び回動支持部１６の下部２６の螺刻部１９、３８は相互に螺合する。【００１１】  回動連結部材３２は、好適には玉継手の形状である。この点で、回動支持部１６の下部２６はソケット３４に相当する。ソケット３４は実質的に凹状の外形である。回動支持部材１６の上部１４は回動部３６を含む。回動部３６は実質的に球状の外形である。回動支持部材１６の下部２６のソケット３４は、使用時には回動支持部材１６の上部１４の回動部３６が嵌入されるようになっている。ソケット３４はそのため外形が回動部３６に合致している。【００１２】  回動連結部材３２によって、回動支持部材１６は軸１２の上端１８に対して旋回するように回動することができる。【００１３】  ストッパー部２４は回動支持部材１６の下部２６の頂部に配置されている。ストッパー部２４は実質的に輪状のフランジ２９からなり、一つの側部が切り欠かれてＣ字型部４８及び断片部５０が形成されている。Ｃ字型部４８は上面５２を有する。上面５２は実質的に水平である。断片部５０は傾斜上面３０を有する。傾斜上面３０は、Ｃ字型部４８の上面５２から下向きに延びている。好適には、傾斜上面３０は水平に対し２５°の角度である。傾斜上面３０は、使用時にはゴルフクラブ５６のフェース５４が対面するように配置される。このようにすると、傾斜上面３０があることによって、ストッパー部２４がプレイ中にゴルフクラブ５６で打たれるゴルフボール１１により干渉されることがない。【００１４】  ストッパー部２４は、ゴルフティー１０の軸１２が地面の中に挿入できる深さを制限する役目を果たす。ストッパー部２４は、使用時には地面に接触する位置に配置されるようになっている。この方法によると、ストッパー部２４は地面に接して安定した面が得られ、ゴルフティー１０の頂部にゴルフボールが載置されたときに、ゴルフボールにかなりの安定性を与えることができる。選択的に、ストッパー部２４には、ストッパー部２４の下面から下方向に延びる複数の脚部が備えられていても良い（図示していない）。脚部が設けられていることにより、ストッパー部２４を上方に引っ張ればゴルフティーを容易に地面から引き抜くことができる。【００１５】  ストッパー部２４はさらに案内マーカー２８を含む。案内マーカー２８は、ストッパー部２４の上面の傾斜上面３０の正反対の位置に配置されている。案内マーカー２８は好適には、ストッパー部２４の上面５２に塗装あるいは他の方法で印された線又は矢印の形状である。案内マーカー２８は、使用時には、ゴルフティー１０の頂部に置かれたゴルフボールを飛ばそうとする方向を指すように配置される。【００１６】  実質的に直立した複数の分岐突起部材４０は、回動支持部材１６の回動部１４の上部３６の頂部に取り付けられている。好適には、３本の分岐突起部材４０が回動支持部材１６の頂部に取り付けられる。【００１７】  複数の分岐突起部材４０の長手方向の長さは、個々の意図するストロークに適合するように、一つのゴルフティー１０と他のゴルフティー１０との間で変えることができる。例えば、大きな飛距離を成し遂げるショットを行おうと望む場合には、長手方向の長さが比較的長い分岐突起部材４０を有するゴルフティー１０が望ましい。しかしボールが運ぶ距離をそれほど大きくしないように意図したショットのためには、図３や図４に示すような、比較的短い分岐突起部材４０を有するゴルフティーが望ましいだろう。【００１８】  しかしながら、本発明に係るゴルフティー１０は、分岐突起部材４０の長手方向の長さを何れも同じにしても構わない。例として、一つの実施例において、図２に表されるように、ゴルフティー１０は図３及び図４に示したゴルフティーに備えられた分岐突起部材４０に比較するとより長い分岐突起部材４０を有している。図３に示したゴルフティー１０は、図４に参照される実施例に係るゴルフティー１０の分岐突起部材４０に比較して、長手方向の長さの長い分岐突起部材４０を有している。【００１９】  分岐突起部材４０は、回動支持部材１６の回動部３６上に、相互に間隔４６を空けて、実質的に三角形の位置に配置されている。好適には、分岐突起部材４０は回動支持部材１６の回動部３６上に、等間隔且つ等角度の間隔が空いている。この配列によれば、分岐突起部材４０の頂部の尖頭部４２が、その上にゴルフボールが支持される実質的に正三角形の支持面４４を形成する。各尖頭部４２のこの配置により、その上のゴルフボールと支持面４４との接触を最小にすることができる。【００２０】  回動支持部材１６の回動部３６上の分岐突起部材４０は、それぞれ相互に比較的密集して配列されている。分岐突起部材４０が密集することにより、その上に載置されたゴルフボールが、分岐突起部材４０の尖頭部４２の頂部で静止している間、図１に表されているように、分岐突起部材４０の間の間隔４６が広げられることはない。このようにすると、使用時に分岐突起部材４０上に載置されたゴルフボール１１は、各分岐突起部材４０の尖頭部４２より下方に位置するゴルフボール１１の最小限の表面領域で持ち上げられている。ゴルフボール１１と尖頭部４２との間の最小限の表面領域での組み合わせは、ゴルフボールに接した持ち上げ配列と共に、既知の方法でゴルフをする際にゴルフクラブに接した後、ゴルフボールを長い距離推進させようとするゴルファーの手助けとなる、ということが予見される。【００２１】  図２及び図３に示されているように、本発明の最初の二つの実施例においては、分岐突起部材４０は回動支持部材１６の回動部３６に、端部において近接している連結部材４１を有する。ここでは分岐突起部材４０の下端は縦方向に連結されている。分岐突起部材４０の連結部４１は、回動支持部材１６の回動部３６上に分岐突起部材４０が実質的に直立して維持する作用を果たす。これによると、各分岐突起部材４０の尖頭部４２は相互に実質的に水平な配列に維持され、よって前述したように上に載せられたゴルフボールを最良に支持しかつバランスを取ることができるように、支持面４４を保持する。【００２２】  図４に示すように、本発明の第３の実施例においては、分岐突起部材４０は図２及び図３に示したゴルフティー１０の長手方向の長さに比較すると、より短くなっている。この点において、短い分岐突起部材４０は、第１、第２の実施例のより長い分岐突起部材４０に比べて、縦方向の配列からあまり分岐していないように見え、よって分岐突起部材４０は連結部４１を備えていない。【００２３】  使用時には、軸１２と回動支持部材１６とは、軸１２及び回動支持部材１６の下部２６の螺刻部１９、３８を螺合することにより結合される。回動部１４は、回動支持部材１６の下部２６に予め連結されていることは理解されるだろう。【００２４】  ゴルフティー１０の軸１２は、地中に軸１２の尖頭部２２を押し込むことにより地面の中に挿入される。ゴルフティー１０は、支持部２４が地面に接してゴルフティー１０のさらなる下方への移動が妨げられるまで、地中に下向きに押し込まれる。【００２５】  ゴルフティー１０は、ゴルフティー１０の頂部のゴルフボールを打とうとする方向を案内マーカー２８が指し示すように配置される。よってストッパー部２４の傾斜上面３０はゴルフクラブ５６のフェース５４に対面する。【００２６】  次に回動支持部材１６は、ゴルフティー１０の軸１２が挿入された地面の角度に拘わらず、回動支持部材１６の回動部３８の位置が分岐突起部材４０が垂直方向を指すようになるまで、回動連結部材３２について回動される。続いてゴルフボールが、分岐突起部材４０の尖頭部４２により提供される支持面４４の上に配置される。そしてゴルフボールはゴルフの試合において行われるあらゆる既知の方法でゴルフクラブにより打たれることになる。【００２７】  本発明の第４の実施例が以下に説明される。ここでは先行する実施例において上述されたものと同じ数字が同じ部材について付されている。【００２８】  ゴルフティー１１０の実施例において、軸１２は基部１３と置き換えられている。基部１３は実質的にディスク形状部材５８からなり、一つの側部が切り欠かれて第１部６０と第２部６２とが形成されている。第１部６０は実質的に水平な上面６４を有する。第２部６２は下方向きに傾斜した上面６６を有する。好適には、傾斜上面６６は水平に対して２５°の角度を有する。傾斜上面６６は、使用時にはゴルフクラブ５６のフェース５４と対面するように配置される。【００２９】  基部１３の第１部６０は、分岐突起部材４０を伴う少なくとも一つの回動部３６が上部に配置されたプラットフォームの役割を果たす。���００３０】  基部１３は、好適にはアンカー手段を有しており（図示してない）、使用時に基部１３が地面に堅固に接することができるようにしている。アンカー手段は、好適には基部１３の下方あるいは内部に取り付けられた重しの形態である。【００３１】  基部１３の第１部６０の上面６４は、少なくとも１つの凹部１５をさらに備えている。凹部１５は、ゴルフティー１０を使ってない間の回動部３６及び分岐突起部材４０を使用時に受け入れるのに適合している。【００３２】  好適には、ゴルフティー１１０は、基部１３の第１部６０の上部に一列に並んで、分岐突起部材４０を伴う３つの独立した回動部３６を備えている。それぞれ個々の回動部３６は、先行する３つの実施例において上述したような、長さ方向の長さを変化させた分岐突起部材４０を有している。凹部１５は、分岐突起部材４０の長手方向の長さの変化に対応するように、これに従って配列されている。【００３３】  分岐突起部材４０が取り付けられた回動部３６は、回動部３６及び分岐突起部材４０が実質的に直立した第１の位置と、回動部３６及び分岐突起部材４０が基部１３の凹部１５の中で実質的に水平に配置される第２の位置との間で回動することができる。【００３４】  使用時には、ゴルファーはゴルフティー１１０を地面の上に置き、回動部材３６を第１の位置に配置する。この位置では、分岐突起部材４０は実質的に直立しており、前述のようにその上にゴルフボールを載置することができる。この位置に回動される個々の回動部３６の選択は、ゴルファーが所望する打撃の距離に依拠する。【００３５】  打撃が終了すると、分岐突起部材４０を伴う回動部３６は第２の位置に回動されて、回動部３６及び分岐突起部材４０は相応する凹部１５により受容される。凹部１５内の回動部３６及び分岐突起部材４０は、回動部３６及び分岐突起部材４０が基部１３の第１部６０の上面６４と実質的に面一になるような位置である。【００３６】  当業者により明らかな変形及び変更は、本発明の範囲内と思料する。
【図面の簡単な説明】
【００３７】
【図１】図１は、本発明に係るゴルフティーの側面図である。
【図２】図２ａは、本発明に係るゴルフティーの第２の実施例の平面図であり、図２ｂは図２ａのゴルフティーの縦断面図であり、図２ｃは図２ｂのゴルフティーの分解縦断面図である。
【図３】図３ａは、図１のゴルフティーの平面図であり、図３ｂは図１のゴルフティーの縦断面図であり、図３ｃは図１のゴルフティーの分解縦断面図である。
【図４】図４ａは、本発明に係るゴルフティーの第３の実施例の平面図であり、図４ｂは図４ａのゴルフティーの縦断面図であり、図４ｃは図４ｂのゴルフティーの分解縦断面図である。
【図５】図５は、本発明に係るゴルフティーの第４の実施例の平面図である。
【図６】図６は、図５のゴルフティーの第４の実施例の側面断面図である。
【図７】図７は、図５のゴルフティーの第４の実施例の正面断面図である。
【符号の説明】
【００３８】１０  ゴルフティー
１１  ゴルフボール
１２  軸
１８  上端
２０  下端
２２  尖頭部
２４  ストッパー部
３０  傾斜上面
３２  回動連結部材
４０  分岐突起部材
４１  連結部
４２  尖頭部
５４  フェース
５６  ゴルフクラブ
【図１】
2007521040.tif 000003
2007521040.tif 000004
2007521040.tif 000005
2007521040.tif 000006
2007521040.tif 000007
【図６】
2007521040.tif 000008
【図７】
2007521040.tif 000009
【国際調査報告】
2007521040.tif 000010
2007521040.tif 000011
2007521040.tif 000012